(57)【要約】      （修正有）【課題】キャラクタ性およびデザイン性が高く、収容物を自由に出し入れすることができる人形型小物入れを提供する。【解決手段】布製の表皮で形成された頭部１ａ、胴体部１ｂ、腕部１ｃおよび脚部１ｄを有する人形１と、布製の表皮で形成され、前記人形１の胴体部１ｂに設けられた一対の板状体２と、少なくとも一つの前記板状体２の前記頭部１ａ側の端部に設けられた開口部２ａと、前記開口部２ａから前記板状体２の内側へ設けられた収容部２ｂと、を備える。【選択図】図２
0003106516.tif 000002
【実用新案登録請求の範囲】
【請求項１】
布製の表皮で形成された頭部、胴体部、腕部および脚部を有する人形と、
布製の表皮で形成され、前記人形の胴体部に設けられた一対の板状体と、
少なくとも一つの前記板状体の前記頭部側の端部に設けられた開口部と、
前記開口部から前記板状体の内側へ設けられた収容部と、を備えることを特徴とする人形型小物入れ。
【請求項２】
布製の表皮で形成された頭部、胴体部、腕部および脚部を有する複数の人形と、
前記各人形の胴体部に固着され、前記各人形が共有する単一の板状体と、
前記板状体の前記頭部側の端部に設けられた開口部と、
前記開口部から前記板状体の内側へ設けられた収容部と、を備えることを特徴とする人形型小物入れ。
【請求項３】
前記開口部を閉塞させる係止手段を備えることを特徴とする請求項１または請求項２記載の人形型小物入れ。
【請求項４】
前記収容部内を複数の領域に分割する仕切り部を備えることを特徴とする請求項１から請求項３のいずれかに記載の人形型小物入れ。
【請求項５】
前記板状体は、翼状に形成されていることを特徴とする請求項１から請求項４のいずれかに記載の人形型小物入れ。
【請求項６】
前記布製の表皮内部に粒状体が充填されていることを特徴とする請求項１から請求項５のいずれかに記載の人形型小物入れ。
【考案の詳細な説明】
【技術分野】
【０００１】
本考案は、マスコットまたはぬいぐるみに小物を収容する機能を付与した人形型小物入れに関する。
【背景技術】
【０００２】
従来、例えば、実用新案登録第３００５４９３号公報には、手鏡とポケット用ティシュペーパー入れを一体化した小物入れを室内装飾品として違和感がないものとし、しかも手鏡を見ながらティシュペーパーを取り出す動作が簡便にできるようにする人形型小物入れが開示されている。この人形型小物入れでは、同公報の図１に記載されているように、縫いぐるみ人形の頭部１を、長手方向に分割して頭部後側の分割片２と頭部前側の分割片３を形成する。これらの分割片２、３の基端を折り曲げ自在に縫いぐるみ本体に連結し、分割片２、３の先端に分割面同士を合わせた状態で係止する面状ファスナからなる係止具４を取り付ける。そして、分割片２の分割面に鏡を取付け、胴部６内にはポケット用ティシュペーパーの収容室を設け、腹部の表面にはティシュペーパーの出し入れ用の切目９を設けている。
【０００３】
また、実用新案登録第３０５２０６７号公報には、エンゼル型ペンダントが開示されている。このエンゼル型ペンダントは、同公報の図１に記載されているように、微小な収容物を溶かした透明ガラスに入れ、収容物を含む溶融ガラスを球状に固まらせてガラス球６を造り、ガラス球６が収められるだけの半球形凹部をそれぞれ設けた後頭部材１１および前頭部材１２を金で予め形成しておき、部材１１、１２の半球形凹部にガラス球６を嵌め、部材１１、１２を接着剤で接着することにより形成される。収容物は、透明なガラス球６を通して視認することができるようになっている。
【特許文献１】実用新案登録第３００５４９３号公報
【特許文献２】実用新案登録第３０５２０６７号公報
【考案の開示】
【考案が解決しようとする課題】
【０００４】
しかしながら、収容物を出し入れすることが自由である小物入れであって、キャラクタ性とデザイン性が高いものは、従来存在していなかった。特許文献１に開示されている人形型小物入れは、収容する機能は優れているが、必ずしもデザイン性や装飾性が高いものとはいえない。また、特許文献２に開示されているエンゼル型ペンダントは、収容物をガラス球の内部に封じ込めてしまうため、収容物を出し入れすることは困難である。
【０００５】
本考案は、このような事情に鑑みてなされたものであり、キャラクタ性およびデザイン性が高く、収容物を自由に出し入れすることができる人形型小物入れを提供することを目的とする。
【課題を解決するための手段】
【０００６】
（１）本考案に係る人形型小物入れは、布製の表皮で形成された頭部、胴体部、腕部および脚部を有する人形と、布製の表皮で形成され、前記人形の胴体部に設けられた一対の板状体と、少なくとも一つの前記板状体の前記頭部側の端部に設けられた開口部と、前記開口部から前記板状体の内側へ設けられた収容部と、を備えることを特徴としている。
【０００７】
このように、人形の胴体部に設けられた板状体に収容部が設けられているため、その収容部に小物を出し入れすることができる。板状体は、天使の翼のような形状を採っても良いし、サーフボードをモチーフとしたものでも良い。また、板状体は、星型、ハート型、スペード型などの各種の形状を取ることもできる。
【０００８】
（２）また、本考案に係る人形型小物入れは、布製の表皮で形成された頭部、胴体部、腕部および脚部を有する複数の人形と、前記各人形の胴体部に固着され、前記各人形が共有する単一の板状体と、前記板状体の前記頭部側の端部に設けられた開口部と、前記開口部から前記板状体の内側へ設けられた収容部と、を備えることを特徴としている。
【０００９】
このように、複数の人形を備えているため、例えば、男の子と女の子のカップルの外観を与えることによって、恋愛についての願いが叶うイメージを持たせることができる。また、各人形の胴体部に設けられた板状体に収容部が設けられているため、その収容部に小物を出し入れすることができる。板状体は、天使の翼のような形状を採っても良いし、サーフボードをモチーフとしたものでも良い。また、板状体は、星型、ハート型、スペード型などの各種の形状を取ることもできる。
【００１０】
（３）また、本考案に係る人形型小物入れは、前記開口部を閉塞させる係止手段を備えることを特徴としている。
【００１１】
このように、開口部を閉塞させる係止手段を備えているので、予期せずに収容物が飛び出ることを防止することができる。この係止手段は、例えば、マジックテープ（登録商標）、ボタン、チャック、フック、安全ピンなどで実現することが可能である。
【００１２】
（４）また、本考案に係る人形型小物入れは、前記収容部内を複数の領域に分割する仕切り部を備えることを特徴としている。
【００１３】
このように、収容部内が複数の領域に分割されるので、複数の収容物を区分けして収納することが可能である。例えば、収容部が２つの領域に分割されている場合は、一方にパワーストーンを収納し、他方にポプリなどを収納することができる。これにより、収納の機能を向上させることができる。
【００１４】
（５）また、本考案に係る人形型小物入れは、前記板状体は、翼状に形成されていることを特徴としている。
【００１５】
このように、板状体が、翼状に形成されているため、天使（エンゼル）をモチーフとしたマスコットまたはぬいぐるみを実現させることが可能となる。これにより、願い事が叶うという商品イメージを強力に主張することができる。
【００１６】
（６）また、本考案に係る人形型小物入れは、前記布製の表皮内部に粒状体が充填されていることを特徴としている。
【００１７】
このように、布製の表皮内部に粒状体が充填されているため、触り心地がやわらかく快いものとすることができる。粒状体は、例えば、パウダービーズを用いることが可能である。
【考案の効果】
【００１８】
本考案によれば、人形の胴体部に設けられた板状体に収容部が設けられているため、その収容部に小物を出し入れすることができる。板状体は、天使の翼のような形状を採っても良いし、サーフボードをモチーフとしたものでも良い。また、板状体は、星型、ハート型、スペード型などの各種の形状を取ることもできる。また、複数の人形を備えているため、例えば、男の子と女の子のカップルの外観を与えることによって、恋愛についての願いが叶うイメージを持たせることができる。また、開口部を閉塞させる係止手段を備えているので、予期せずに収容物が飛び出ることを防止することができる。また、収容部内が複数の領域に分割されるので、複数の収容物を区分けして収納することが可能であり、収納の機能を向上させることができる。また、板状体が、翼状に形成されているため、天使（エンゼル）をモチーフとしたマスコットまたはぬいぐるみを実現させることが可能となる。これにより、願い事が叶うという商品イメージを強力に主張することができる。また、布製の表皮内部に粒状体が充填されているため、触り心地がやわらかく快いものとすることができる。
【考案を実施するための最良の形態】
【００１９】
本考案者は、天使（エンゼル）の外観を有するマスコットまたはぬいぐるみが、願い事を叶えてくれる神の使いであるというイメージを連想させることと、パワーストーンといわれる石が、神秘的なエネルギーを備えているといわれていることに共通の観念が存在することに着目し、これらについて、一方に小物入れという機能を持たせ、他方をその小物入れの収容物とすることによって、両者が共通に備えているイメージを融合させる商品を生み出すことができることを見出し、本考案をするに至った。以下、本考案の実施の形態について、図面を参照して具体的に説明する。
【００２０】
（第１の実施形態）
図１は、第１の実施形態に係る人形型小物入れの正面図、図２は同平面図、そして図３は、同背面図である。これらの図面に示すように、第１の実施形態に係る人形型小物入れ１０において、人形１は、布製の表皮で形成された頭部１ａ、胴体部１ｂ、一対の腕部１ｃおよび一対の脚部１ｄから構成されている。また、人形１は、首飾り１ｅを有している。そして、人形１は、天使（エンゼル）をモチーフとした外観を有するように形成されている。また、人形１には、布製の表皮で形成され、胴体部１ｂの背中に該当する部分に一対の板状体２が設けられている。この板状体２は、天使の翼をモチーフとした外観を有するように形成されている。
【００２１】
このように、板状体２が、翼状に形成されているため、天使（エンゼル）をモチーフとしたマスコットまたはぬいぐるみを実現させることが可能となる。これにより、願い事が叶うという商品イメージを強力に主張することができる。
【００２２】
なお、板状体２は、第１の実施形態のように、天使の翼のような形状を採っても良いし、サーフボードをモチーフとしたものでも良い。また、板状体２は、星型、ハート型、スペード型などの各種の形状を取ることもできる。
【００２３】
一対の板状体２には、人形１の頭部１ａ側の端部に開口部２ａが設けられている。そして、開口部２ａから板状体２の内側へ収容部２ｂが設けられている。このような構成により、収容部２ｂに小物を出し入れすることができる。
【００２４】
また、開口部２ａの近傍には、開口部２ａを閉塞させる係止手段２ｃが設けられている。この係止手段は、例えば、マジックテープ（登録商標）、ボタン、チャック、フック、安全ピンなどで実現することが可能である。この構成により、開口部２ａを閉塞させることができるので、予期せずに収容物が飛び出ることを防止することができる。
【００２５】
また、図３の点線で示すように、第１の実施形態に係る人形型小物入れ１０は、収容部２ｂ内を複数の領域に分割する仕切り部２ｄを備えている。この仕切り部２ｄは、図３に示すように、収容部２ｂ内に、紙面対して平行に収容部２ｂを分割するように設けられたポケットで構成される。その他、収容部２ｂ内の向かい合う壁面を縫い合わせたものであっても良い。この仕切り部２ｄにより、収容部２ｂ内が複数の領域に分割されるので、複数の収容物を区分けして収納することが可能である。例えば、収容部２ｂが図３に示すように２つの領域に分割されている場合は、一方にパワーストーンを収納し、他方にポプリなどを収納することができる。これにより、収納の機能を向上させることができる。
【００２６】
なお、第１の実施形態に係る人形型小物入れは、２つの収容部２ｂを備えているので、一方の収容部２ｂに種類の異なるパワーストーンを複数収納して、他方にポプリなどを収納するようにしても良い。これにより、使用の形態に多様性を持たせることが可能となる。
【００２７】
また、第１の実施形態に係る人形型小物入れ１０は、布製の表皮内部に粒状体が充填されて構成されている。この粒状体は、例えば、パウダービーズを用いることができる。パウダービーズなどの粒状体を布製の表皮内部に充填することにより、触り心地がやわらかく快いものとすることができる。なお、パウダービーズの代わりに、芳香性を有する粒状体を用いることもできる。これにより、人形１から心地よい香りを発するようにすることができる。
【００２８】
以上のように、第１の実施形態に係る人形型小物入れによれば、キャラクタ性およびデザイン性が高く、収容物を自由に出し入れすることができる人形型小物入れを実現することが可能となる。
【００２９】
（第２の実施形態）
図４は、第２の実施形態に係る人形型小物入れの正面図、図５は、同平面図、そして、図６は、同背面図である。これらの図面に示すように、第２の実施形態に係る人形型小物入れ２０は、２つの人形３および４と、これらの人形３、４が共有する単一の板状体５から構成されている。
【００３０】
人形３は、布製の表皮で形成された頭部３ａ、胴体部３ｂ、一対の腕部３ｃおよび一対の脚部３ｄから構成されている。また、人形３は、首飾り３ｅを有している。そして、人形３は、天使（エンゼル）をモチーフとした外観を有するように形成されている。同様に、人形４は、布製の表皮で形成された頭部４ａ、胴体部４ｂ、一対の腕部４ｃおよび一対の脚部４ｄから構成されている。また、人形４は、首飾り４ｅを有している。そして、人形４は、天使（エンゼル）をモチーフとした外観を有するように形成されている。
【００３１】
各人形３、４には、布製の表皮で形成され、胴体部３ｂおよび４ｂの背中に該当する部分に、両者が共有する単一の板状体５が設けられている。この板状体５は、天使の翼をモチーフとした外観を有するように形成されている。このように、板状体５が、翼状に形成されているため、天使（エンゼル）をモチーフとしたマスコットまたはぬいぐるみを実現させることが可能となる。これにより、願い事が叶うという商品イメージを強力に主張することができる。
【００３２】
板状体５には、人形３、４の頭部３ａ、４ａ側の端部に開口部５ａが設けられている。そして、開口部５ａから板状体５の内側へ収容部５ｂが設けられている。このような構成により、収容部５ｂに小物を出し入れすることができる。
【００３３】
また、開口部５ａの近傍には、開口部５ａを閉塞させる係止手段５ｃが設けられている。この係止手段は、例えば、マジックテープ（登録商標）、ボタン、チャック、フック、安全ピンなどで実現することが可能である。この構成により、開口部５ａを閉塞させることができるので、予期せずに収容物が飛び出ることを防止することができる。
【００３４】
また、図６の点線で示すように、第２の実施形態に係る人形型小物入れ２０は、収容部５ｂ内を複数の領域に分割する仕切り部５ｄを備えている。この仕切り部５ｄは、図６に示すように、収容部５ｂ内に、紙面対して平行に収容部５ｂを分割するように設けられたポケットで構成される。その他、収容部５ｂ内の向かい合う壁面を縫い合わせたものであっても良い。この仕切り部５ｄにより、収容部５ｂ内が複数の領域に分割されるので、複数の収容物を区分けして収納することが可能である。例えば、収容部５ｂが図６に示すように２つの領域に分割されている場合は、一方にパワーストーンを収納し、他方にポプリなどを収納することができる。これにより、収納の機能を向上させることができる。
【００３５】
第２の実施形態におけるその他の構成は、第１の実施形態と同様である。
【００３６】
このように、第２の実施形態に係る人形型小物入れによれば、複数の人形３、４を備えているため、例えば、男の子と女の子のカップルの外観を与えることによって、恋愛についての願いが叶うイメージを持たせることができる。また、各人形３、４の胴体部３ｂ、４ｂに設けられた板状体５に収容部５ｂが設けられているため、その収容部５ｂに小物を出し入れすることができる。
【図面の簡単な説明】
【００３７】
【図１】第１の実施形態に係る人形型小物入れの正面図である。
【図２】第１の実施形態に係る人形型小物入れの平面図である。
【図３】第１の実施形態に係る人形型小物入れの背面図である。
【図４】第２の実施形態に係る人形型小物入れの正面図である。
【図５】第２の実施形態に係る人形型小物入れの平面図である。
【図６】第２の実施形態に係る人形型小物入れの背面図である。
【符号の説明】
【００３８】
１  人形
１ａ  頭部
１ｂ  胴体部
１ｃ  腕部
１ｄ  脚部
２  板状体
２ａ  開口部
２ｂ  収容部
２ｃ  係止手段
２ｄ  仕切り部
３  人形
３ａ  頭部
３ｂ  胴体部
３ｃ  腕部
３ｄ  脚部
４  人形
４ａ  頭部
４ｂ  胴体部
４ｃ  腕部
４ｄ  脚部
５ａ  開口部
５ｂ  収容部
５ｃ  係止手段
５ｄ  仕切り部
５  板状体
【図１】
0003106516.tif 000003
【図２】
0003106516.tif 000004
【図３】
0003106516.tif 000005
【図４】
0003106516.tif 000006
【図５】
0003106516.tif 000007
【図６】
0003106516.tif 000008